(57)【要約】【課題】洗濯物の着脱が迅速かつ容易にでき、また確実に保持できる洗濯ばさみおよびこれを用いる物干し具並びにハンガーを提供する。【解決手段】２つの挟持部材で洗濯物を挟み込んで保持する洗濯ばさみにおいて、前記挟持部材が平行する２本の回動軸にそれぞれ軸支されているとともに、ある角度で互いに当接して前記挟持部材がそれ以上内側に倒れるのを阻止する当接面とを設けて構成する。２つの挟持部材の挟持面に、互いに歯合する凹凸を設けるとともに、２つの挟持部材の回転を連動させるリンク機構を設けると、洗濯物の抜け落ちが防止され使用勝手がよくなる。【選択図】  図１
2007021187.tif 000002
【特許請求の範囲】
【請求項１】
２つの挟持部材で洗濯物を挟み込んで保持する洗濯ばさみにおいて、前記挟持部材が平行する２本の回動軸にそれぞれ軸支されているとともに、ある角度で互いに当接して前記挟持部材がそれ以上内側に倒れるのを阻止する当接面を具えることを特徴とする洗濯ばさみ。
【請求項２】
請求項１に記載の洗濯ばさみにおいて、前記２つの挟持部材の挟持面に、互いに歯合する凹凸が設けられていることを特徴とする洗濯ばさみ。
【請求項３】
請求項１または２に記載の洗濯ばさみにおいて、前記２つの挟持部材の回転を連動させるリンク機構を具えることを特徴とする洗濯ばさみ。
【請求項４】
請求項１乃至３のいずれかに記載の洗濯ばさみにおいて、前記２つの挟持部材の挟持面の近傍に、当該洗濯ばさみから洗濯物を解放するための膨出部または突起が設けられていることを特徴とする洗濯ばさみ。
【請求項５】
請求項１乃至４のいずれかに記載の洗濯ばさみにおいて、前記２つの挟持部材がそれぞれ、内側に倒れる方向に付勢されていることを特徴とする洗濯ばさみ。
【請求項６】
請求項１乃至５のいずれかに記載の洗濯ばさみを複数組み込んでなることを特徴とする物干し具。
【請求項７】
請求項６に記載の物干し具において、前記複数の洗濯ばさみを一斉に解放するスライド式解放手段を具えることを特徴とする物干し具。
【請求項８】
請求項６または７に記載の物干し具において、前記洗濯ばさみの挟持面の中間また上側にハンガーのフレームを保持する空隙が形成されることを特徴とする物干し具。
【請求項９】
請求項８に記載の物干し具に用いるハンガーであって、前記空隙に嵌合するフレームを具えることを特徴とするハンガー。
【発明の詳細な説明】
【技術分野】
【０００１】
本発明は洗濯ばさみおよび物干し具並びにハンガーに関し、特に、洗濯物の装着及び脱着が容易な自重加圧式の洗濯ばさみ及びこれを利用した物干し具並びにハンガーに関する。
【背景技術】
【０００２】
従来の洗濯ばさみ（ピンチ、クリップ等と呼ばれるものを含む。）は、ばねで付勢された２つの挟持部材の間に洗濯物を挟んで洗濯物を保持するものが一般的である。この洗濯ばさみにおいて、干している途中に洗濯物が落下することがないよう、洗濯物を挟持するばねの付勢力はある程度強めに設定される。また、洗濯物を取り外す際はてこの原理を利用して挟持部を拡開できるよう操作部が挟持部から離れた場所に設けられている。
【０００３】
一方、挟持部材の片方に上下に可動な輪を用いて、洗濯物が自重によって保持されるようにしたハンガークリップが提案されている（例えば、特許文献１）。また、挟持部材の片方が下端部で軸支されており、洗濯物の自重を挟持部材の把持圧力に利用したピンチが提案されている（例えば、特許文献２）。これらはいずれも軽い力で洗濯物を挟持部間に挿入することができ、また洗濯物の自重を利用するため重量のある洗濯物ほど強い力で保持することができる。
【０００４】
【特許文献１】特開２００４−２６１５５６号公報
【特許文献２】特開２００５−８７３９９号公報
【発明の開示】
【発明が解決しようとする課題】
【０００５】
従来のばねで把持する洗濯ばさみは、重量のある洗濯物にも耐えるべくばねの力を強くする必要があるが、開閉の際にばねの力を上回る力が必要となり、特に握力の弱い女性にとっては疲れる作業であった。また、操作部が挟持部から離れているため、洗濯物を落とさずに取り外すには両手を用いる必要があり煩雑で面倒であった。
【０００６】
一方、引用文献１，２記載の洗濯物の自重を利用して挟持する洗濯ばさみでは、洗濯物を両側から挟持する部材の片方のみを可動としているため、挿入時に固定された側の挟持部に洗濯物が引っかかる感じを受けたり、洗濯物を挿入した後にも滑りやすく洗濯物が落下してしまう可能性があるという問題がある。
【０００７】
本発明は、このような従来の洗濯ばさみの諸問題を解決し、洗濯物を干すという日常繰り返される作業を行うにあたり、洗濯物の着脱が迅速かつ容易にでき、また薄いものから厚いものまで確実に保持できる洗濯ばさみを提供することを目的とする。また本発明は、この洗濯ばさみが複数取り付けられており、これら複数の洗濯ばさみを一斉に解放する機構を備える物干し具を提供することを目的とする。
【課題を解決するための手段】
【０００８】
上記目的を達成すべく、本発明は、２つの挟持部材で洗濯物を挟み込んで保持する洗濯ばさみにおいて、前記挟持部材が平行する２本の回動軸にそれぞれ軸支されているとともに、ある角度で互いに当接して前記挟持部材がそれ以上内側に倒れるのを阻止する当接面を具えることを最も主要な特徴とする。
【０００９】
この洗濯ばさみにおいて、前記２つの挟持部材の挟持面に、互いに歯合する凹凸が設けられていることが有効である。また、前記２つの挟持部材の回転を連動させるリンク機構を具えることが有効である。
【００１０】
また、前記２つの挟持部材の挟持面の近傍に、当該洗濯ばさみから洗濯物を解放するための膨出部または突起が設けられていることが有効である。
【００１１】
また、前記２つの挟持部材がそれぞれ、内側に倒れる方向に付勢されていることが有効である。
【００１２】
一方、本発明にかかる物干し具は、上記いずれかに記載の洗濯ばさみを複数組み込んでなることを特徴とする。
【００１３】
この物干し具において、前記複数の洗濯ばさみを一斉に解放するスライド式解放手段を具えることが有効である。
【００１４】
また、前記洗濯ばさみの挟持面の中間また上側にハンガーのフレームを保持する空隙が形成されることが有効である。
【００１５】
さらに本発明は、上記物干し具に用いるハンガーであって、前記空隙に嵌合するフレームを具えることを特徴とするハンガーに関する。
【発明の効果】
【００１６】
本発明の洗濯ばさみは、洗濯物を挟み込んで保持する両側の挟持部材がそれぞれ回動するよう構成したため、下から洗濯物を押しあてると挟持部材が両側に拡開して容易に洗濯物を差し入れることができる。また、この状態で洗濯物を離すと洗濯物の自重により挟持部材が内側へ倒れるよう回動し、挟持面の間に洗濯物が挟み込まれ保持される。このように本発明の洗濯ばさみは洗濯物の取付が迅速且つ容易にでき、また洗濯物の自重を利用するため薄くて軽いものから厚くて重いものまで確実に保持することができる。
【００１７】
また、２つの挟持部材の挟持面に互いに歯合する凹凸を設けることにより、洗濯物がこの凹凸に沿って変形し、狭持部材間に確実に保持される。また、リンク機構を付加して２つの挟持部材の回転が連動するようにすると、洗濯物の着脱がスムーズかつ容易になる。
【００１８】
また、挟持面の近傍に、洗濯物を解放するための膨出部または突起を設けるようにすると、片手で洗濯物を洗濯ばさみから取り外して取り込むことができる。また、２つの挟持部材を内側下向きに付勢するバネを設けるようにすると、より確実に洗濯物を挟み込んで保持することができる。
【００１９】
また、本発明の物干し具は、上記の洗濯ばさみを複数組み込んで構成されており、一度に多くの洗濯物を簡単且つ確実に干すことができる。また、この物干し具において、複数の洗濯ばさみを一斉に解放する解放手段を設けるようにすると、個別に洗濯ばさみから洗濯物を取り外す必要がなくなり洗濯物を迅速に取り込むことができる。
【００２０】
さらに、２つの挟持面の中間または上側にハンガーのフレームを保持する空隙が形成されるように構成すると、例えばシャツやカットソーなどの衣類やタオル等をハンガーにかけた状態で容易に着脱することができる。
【発明を実施するための最良の形態】
【００２１】
本発明を実施するための最良の実施形態について図面を参照しながら以下に詳細に説明する。
【実施例１】
【００２２】
図１は、本発明にかかる洗濯ばさみの一実施例の構成を示す斜視図である。本図に示すように、本発明の洗濯ばさみ１は、外側ケース１０と、ケース１０に軸支された２つの挟持部材２０ａ、２０ｂとを具えている。図２は、この洗濯ばさみ１の分解斜視図である。ケース１０は前面１０ａと背面１０ｂとからなり、Ｕ字を逆にして開口部１０ｃを下に向けたような形状を有する。この開口部１０ｃに洗濯物が保持される構成である。
【００２３】
ケース１０の両脚部の下端部近傍にはそれぞれ回動軸１１ａ、１１ｂが取り付けられ、この回動軸１１にそれぞれ挟持部材２０ａ、２０ｂが回動可能に軸支される。挟持部材２０ａ、２０ｂはほぼ対称に形成されており、回動軸１１を貫通する軸穴２１と、軸穴２１を中心とする円弧を接線方向上側に延ばしたような輪郭をなす挟持面２２と、上端部に突出するストッパ２３とを具えている。挟持面２２は、軸穴２１からの半径が下端部から上になるに伴い徐々に長くなるよう形成されており、図に示すように、所定の角度位置で互いに当接し、挟持面間で洗濯物を挟み込んで保持するよう構成されている。挟持面２２には、挟持部材間で歯合する凹凸２４が形成されている。この凹凸２４は挟持面２２の全面に設けられていてもよいが、例えば図１４で後述するように部分的あるいはまばらに設けられていてもよい。
【００２４】
ケース１０の背面１０ｂにはストッパ受け１２が設けられており、挟持部材２０の回転範囲が物理的に制限されている。また、左右のバネ受け１３ａ、１３ｂと各挟持部材２０ａ、２０ｂとの間にはそれぞれバネ１４ａ、１４ｂが配置され、両側の挟持部材２０を常に内側へ倒す方向へ軽く付勢している。この洗濯ばさみ１は単品で用いてもよいし、後述するように組み合わせて物干し具を構成してもよい。単品で用いる場合、頂部に図示しないフック手段を設けて、物干し竿などに係止できるようにする。
【００２５】
図３は、この洗濯ばさみ１の動作を説明する部分透明図である。図３（ａ）は洗濯物を留めていない閉じた状態を示しており、挟持面２２の上側が互いに当接して、挟持部材２０がこれ以上内側へ倒れない構成となっている。上述したようにバネ１４が挟持部材を互いに当接する方向へ軽く付勢している（図２参照）。挟持面２２に設けられた凹凸２４は互いに歯合している。
【００２６】
この状態から図３（ｂ）に示すように洗濯物３０を下から挟持部材間に宛がって少し持ち上げると、挟持部材２０ａ、２０ｂが回動して挟持部材間に隙間が生じ、洗濯物がケース１０の切り欠き１０ｃ内に進入する。挟持部材２０を付勢するバネ１４は付勢力の弱いものを用いてこの作業の妨げとならないようにする。挟持部材２０ａ、２０ｂの双方が回動して洗濯物３０を受け入れるため、楽に洗濯物を進入させることができる。
【００２７】
この状態から手を離した場合、バネ１４により挟持部材２０は常に洗濯物を挟む方向に付勢されているため、洗濯物が自重によって落下しようとするときに凹凸２４に沿って変形し、両側の挟持部材２０ａ、２０ｂを巻き込んでこれを回動させ、その結果挟持部材の凹凸２４間に洗濯物が噛み込んでしっかりと挟持される。また、洗濯物が厚くて重い場合はさらに挟持部材を巻き込んで凹凸２４間が狭まるよう作用するため、洗濯物が確実に保持される。
【００２８】
この状態から洗濯物を取り外すには、ケース１０の下端部から出ている挟持部材２０の下端部の片方あるいは両方を図３（ｄ）に矢印で示すように上に軽く押せばよい。これにより挟持部材２０が拡開し、挟持部材２０間に隙間ができて洗濯物が解放される。解放するための操作部を挟持部のすぐ傍に設けているため、片手で挟持部を操作すると同時に洗濯物を掴んで回収することができる。
【実施例２】
【００２９】
図４は、洗濯ばさみの別の実施例の構成を示す斜視図である。本実施例の洗濯ばさみ２では、図１乃至３に示す実施例の挟持部材２０の下側突出部分の代わりに、洗濯物を取り外すためのレバー２５が設けられている。図４に示す状態からレバー２５を押し下げると挟持部材２６が拡開方向に回動し、挟持部材間に保持していた洗濯物を取り外すことができる。このように、挟持していた洗濯物を取り外す機構は、外部から挟持部材を回動操作できるものであれば様々な形態であってよい。図４に示す実施例の場合にも、レバー２５の大きさや位置は挟持部材を簡単に操作できる限りにおいて、その大きさや取り付け位置を変更することができる。
【実施例３】
【００３０】
図５は、図１乃至３に示す洗濯ばさみのさらなる実施例を説明する図である。本実施例の洗濯ばさみ３は、両側の挟持部材３１ａ、３１ｂの回転を連動させるリンク機構３２を具えている。このリンク機構３２は、両側の挟持部材３１ａ，３１ｂに回転可能に取り付けられた対のアーム３３ａ，３３ｂと、アーム３３同士の連結部３４を所定範囲で上下摺動可能に保持するガイド溝３５とを具えている。図５（ｂ）は挟持部材３１が閉じている状態を示す部分透明図であり、アーム３３ａ、３３ｂの連結部３４がガイド溝３５の最も高い位置にある。この状態から、例えば一方の挟持部材３１ａが回動すると、例えば図５（ｃ）〜（ｄ）に示すように、挟持部材３１ａに連結されたアーム３３ａが引っ張られ、アームの連結部３４が下にスライドする。これにより他方のアーム３３ｂも下がり、他方の挟持部材３１ｂが回転する。このようにして両側の挟持部材３１ａ、３１ｂを連動させるようにすると、挟持部材３１の回転がスムーズになるとともに、一方の挟持部材のみを操作して容易に洗濯物を着脱することができる。
【実施例４】
【００３１】
図６乃至図１０は、本発明にかかる物干し具を説明するための図である。図６は物干し具５の斜視図であり、図７が本体部を上からみた部分分解図である。図６に示すように、物干し具５は長方形に構成されており２本の平行する本体フレーム５ａと、これら本体フレーム５ａを連結するフレームつなぎ５ｂと、物干し具５を吊すフック５ｃとを具えている。各本体フレームには複数の洗濯ばさみ４が連設されている。図７に示すように、各本体フレーム５ａにおいて洗濯ばさみ４は互い違いに２列設けられており、より多くの洗濯ばさみ４を組み込んでたくさんの洗濯物を吊せるようにしている。また、これら２本の本体フレーム５ａにおいて洗濯ばさみ４の数と位置はそれぞれ対応しており、洗濯物やハンガーをこれら２本のフレーム間に渡して取り付けられるようにしている。図６に示すように、各列の個々の洗濯ばさみ４の間にもスリット３７が設けられており、隣の列の洗濯ばさみ４の挟持部の横を塞がないよう構成されている。
【００３２】
図８は、この物干し具５の内部機構を示す部分分解図である。本図に示すように、本体フレーム５ａにおいて、複数の洗濯ばさみ４が２列に配列されている。各洗濯ばさみ４は、図５の実施例とほぼ同じ構成のリンク機構３９を具えており、両側の挟持部材４０ａ、４０ｂがそれぞれアーム４１ａ、４１ｂに接続され、これらのアーム４１の連結部４２が本体フレーム５ａに上下スライド可能に保持されている。このスライド機構は、アーム連結部４２と一体的に構成された凹部４３と、本体フレーム５ａと一体的に形成され凹部４３を上下に案内する凸条４４とで実現される。ただし、このリンク機構は図５に示すような構成であってもよいし、また他の構成を採用してもよい。本実施例の洗濯ばさみ４では、アーム４１と連結部４２の部分にバネ３８が設けられており、このバネ３８が挟持部材４０ａ、４０ｂを閉じる方向へ軽く付勢している。
【００３３】
本発明の物干し具５はさらに、すべての洗濯ばさみ４を一斉に解放するスライド式解放手段を具えている。この解放手段は、図８に示すように、物干し具の本体フレーム５ａに沿って延在するロッド４５と、このロッド４５を引っ張るスライドバー４６とを具えている。ロッド４５は図示しないレールに保持されており、物干し具５の本体フレーム５ａに沿って摺動可能である。ロッド４５において各洗濯ばさみ４に対応する箇所には横方向に突出する突起４７が形成されている。図９に参考分解図を示すように、ロッド４５におけるスライドバー４６と反対側の端部は引っ張りバネ４８に連結されている。ロッド４５のスライドバー４６側の端部はフレキシブルなワイヤ４９に連結されており、このワイヤ４９を物干し具本体の角にはわせてスライドバー４６で引っ張るようにしている。図６に最もよく示すように、２つのスライドバー４６ａ、４６ｂは片手で操作できるよう片側のフレームつなぎ５ｂに近接配置されている。
【００３４】
図１０を用いて、このスライド式解放手段の動作を説明する。図１０（ａ）は洗濯ばさみ４の挟持部材４０ａ、４０ｂが閉じた状態であり、この状態でロッド４５はバネ４８（図９参照）により紙面の左側に引っ張られている。これが通常位置である。この状態から図６に示すスライドバー４６を操作すると、図１０（ｂ）に示すようにロッド４５が右側に移動する。このとき、ロッド４５の突起４７が右側の挟持部材４０ｂに当接し、さらに進むことにより挟持部材４０ｂが回動する。両側の挟持部材４０ａ、４０ｂはリンク機構３９で連動するため、両側の挟持部材４０ａ、４０ｂがともに拡開する。図１０（ｃ）はさらにロッド４５が引っ張られて挟持部材４０が拡開した状態を示す図である。これにより、洗濯物を挟持していた場合にはそれが解放される。ロッド４５にはすべての洗濯ばさみ４に対応する位置に洗濯ばさみと同じ数の突起４７が両側に設けられており、すべての洗濯ばさみ４を一斉に解放することができる。
【００３５】
なお、この物干し具５に洗濯物を取り付ける際には、任意の洗濯ばさみ４の挟持部材間に下から洗濯物を宛がって少し持ち上げればよい。このとき挟持部材４０ｂも回動するが突起４７はこの回動方向と逆側に設けられているため、洗濯ばさみ４を個別に操作する際に突起４７が干渉することがない。なお、本実施例の物干し具本体は長方形に形成したが、当業者であればこの本体部に正方形、円形、楕円形など他の形状も適用できることは自明である。
【実施例５】
【００３６】
本発明の洗濯ばさみまたは物干し具の別の使用方法について説明する。図１、図４、図５（ａ）等に示すように、本発明の洗濯ばさみは、閉じた状態において挟持部材（２０，２６，３１）とケース（１０）とにより空隙５０が形成される。この空隙５０に、例えば図１１に示すように、上述した洗濯物を取り付けるのと同じ要領で、洗濯物を吊したハンガー５１を掛けることができる。ハンガー５１のレールが空隙５０に収まったらその自重で挟持部材が閉じ、ハンガー５１が落ちてしまうことがない。これにより、着脱が容易なハンガー掛けとして使用することができる。
【実施例６】
【００３７】
図１２は、本発明のさらなる実施例の構成を示す図である。本実施例は、上記のように洗濯ばさみあるいは物干し具とともに用いるハンガーに関し、特にその断面形状に特徴を持たせたハンガーに関する。図１２に断面を示すように、本実施例のハンガー５５は縦方向中央部の両脇が窪んでおり、且つ下側部分が上側部分より大きく構成された概略ひょうたん形状をしている。この窪み５５ａは挟持部材５６の凹凸に対応する大きさに形成される。また、ハンガー５５の断面の下側部分５５ｂは、挟持部材５６間を通過しない程度の大きさに形成されている。
【００３８】
このハンガー５５を取り付けるには、図１２（ａ）に示すように挟持部材５６の間に宛がい下から少し持ち上げる。これに伴って両側の挟持部材５６が拡開し、挟持部材間に隙間が生じる。その後、図１２（ｂ）に示すように、ハンガー５５の断面下側部分５５ｂが挟持部材５６に阻まれ、その高さより上に上がらなくなる。この状態で手を離すと、図１２（ｃ）に示すように、挟持部材５６が内側に倒れ挟持面の凹凸がハンガー５５の断面の窪み５５ａに嵌ってハンガー５５が保持される。
【００３９】
ここで用いるハンガーのバリエーションを図１３に示す。本図に示すように、物干し具６０に適用するハンガーは様々な形状とすることができる。これらのハンガーは左右の肩部分で洗濯物を保持できるため、通常上部中央に形成されるフックを省略することができ、洋服の襟部分へのハンガーの出し入れが容易となる。また、例えば一般的な形状のハンガー６１の他に、タオル類を掛けるのに好適な棒状のハンガー６２を用いることもできる。なお、本発明にかかるハンガーは、洗濯ばさみまたは物干し具に係合させる部分のみを上記の断面形状とすればよく、他の部分は上記の断面形状でなくてもよい。
【００４０】
図１４は、図８に示す物干し具の変形例を示す図である。本実施例の物干し具では、各洗濯ばさみ７１がリンク機構を持っておらず、一方の挟持部材７２ａのみを拡開させる構成となっている。また、他方の挟持部材７２ｂの回動範囲を制限するストッパ７３が設けられている。このように物干し具を構成して、ロッド７４の操作により一方の挟持部材７２ａのみが拡開する構成としても、各洗濯ばさみの挟持物を解放することができる。なお、本実施例では、解放操作しない方の挟持部材７２ｂは固定式であってもよい。
【００４１】
本発明の幾つかの実施形態および実施例について上記に詳細に説明したが、本発明は上記実施例に限るものではなく、他の様々な異なる実施例として実現することができる。例えば、挟持部材は内側に倒れたときに互いに当接して洗濯物を挟持する構成であれば上記の形状でなくてもよく、多角形のように形成してもよい。また、挟持面に形成される凹凸も必須の構成ではなく、例えばこの挟持面に滑り止めのゴムシートのようなものを貼付する構成であってもよい。さらに、上記実施例の物干し具はスライドバーを操作して一斉に解放できるようにしているが、これを図１や図４に示す洗濯ばさみのような構成をそのまま適用して個別に着脱する構成としてもよい。
【産業上の利用可能性】
【００４２】
本発明にかかる洗濯ばさみおよび物干し具は、洗濯物を容易に着脱でき、また確実に吊しておけるよう構成されており、ランドリー業界や製造業において好適に利用することができる。
【図面の簡単な説明】
【００４３】
【図１】本発明にかかる洗濯ばさみの第１実施例の構成を示す斜視図である。
【図２】図１に示す洗濯ばさみの組立斜視図である。
【図３】図１に示す洗濯ばさみの動作を説明する図である。
【図４】本発明にかかる洗濯ばさみの第２実施例の構成を示す斜視図である。
【図５】本発明にかかる洗濯ばさみの第３実施例およびその動作を示す図である。
【図６】本発明にかかる物干し具の一実施例の構成を示す斜視図である。
【図７】図６に示す物干し具を上から見た状態を示すイメージ図である。
【図８】図６に示す物干し具の部分分解図である。
【図９】図６に示す物干し具の部分分解図である。
【図１０】図６に示す物干し具の動作を説明するための図である。
【図１１】本発明にかかる物干し具とハンガーを用いた使用方法を説明する図である。
【図１２】本発明にかかる洗濯ばさみまたは物干し具とハンガーとの係合関係を示す図である。
【図１３】本発明にかかるハンガーのバリエーションを示す図である。
【図１４】本発明にかかる物干し具のさらなる実施例を示す図である。
【符号の説明】
【００４４】
１，２，３，４，７１    洗濯ばさみ
５，６０        物干し具
１０      ケース
２０，２６，３１，４０、５６，７２    挟持部材
２４      凹凸
３２，３９      リンク機構
３３，４１      アーム
３４，４２      連結部
３５      ガイド溝
４５，７４      ロッド
４６      スライドバー
４７      突起
４８      バネ
４９      ワイヤ
５１，５５，６１，６２    ハンガー
【図１】
2007021187.tif 000003
【図２】
2007021187.tif 000004
【図３】
2007021187.tif 000005
【図４】
2007021187.tif 000006
【図５】
2007021187.tif 000007
【図６】
2007021187.tif 000008
【図７】
2007021187.tif 000009
【図８】
2007021187.tif 000010
【図９】
2007021187.tif 000011
【図１０】
2007021187.tif 000012
【図１１】
2007021187.tif 000013
【図１２】
2007021187.tif 000014
【図１３】
2007021187.tif 000015
【図１４】
2007021187.tif 000016